(57)【要約】【課題】  １つの封筒にて往信と返信を行う往復封筒であって、返信のときに封緘すれば正しい返信先に返信される構成の往復封筒を提供する。【解決手段】  封筒本体２１の正面側には往信先情報を表示する往信表示エリア４を有するとともに返信フラップ２３の封筒１の背面側には返信先情報を表示する返信表示エリア５を有し、往信のときは往信先情報が視認可能な状態のまま封筒本体２１の上辺を折り目６として往信フラップ２２が返信フラップ２３を覆う状態で封緘がなされ、返信のときは返信先情報が視認可能な状態のまま封筒本体２１の上辺を折り目６として返信フラップ２３が往信先情報を覆う状態で封緘がなされる。【選択図】  図１
2010132313.tif 000002
【特許請求の範囲】
【請求項１】
往信するときには送り先の住所・氏名（名称）等の往信先情報を記載して送り、これを受け取った受取人がこの封筒を返信用に使用することができる往復封筒であって、
シート材が袋状に一体形成されその上端に内容物を入れるための開口部を有する封筒本体と、封筒本体正面の上辺に配され往信のときに封緘するための往信フラップと、封筒本体背面の上辺に配され返信のときに封緘するための返信フラップから構成され、
封筒本体の正面側には往信先情報を表示する往信表示エリアを設け、かつ返信フラップの封筒背面側には返信先の住所・氏名（名称）等を表示する返信表示エリアを設け、
往信のときは往信先情報が視認可能な状態のまま封筒本体の上辺を折り目として往信フラップが返信フラップを覆う状態で封緘がなされ、かつ返信のときは返信先情報が視認可能な状態のまま封筒本体の上辺を折り目として返信フラップが往信先情報を覆う状態で封緘がなされることを特徴とする往復封筒。
【請求項２】
前記往信フラップは、返信フラップよりも大きく形成され、往信のときには往信フラップが返信フラップを覆い隠すことを特徴とする請求項１記載の往復封筒。
【請求項３】
前記往信フラップを切り取るためのミシン目が形成され、返信のときは往信フラップを切り取り、返信フラップが往信先情報を覆う状態で封緘がなされることを特徴とする請求項１又は２記載の往復封筒。
【請求項４】
前記往復封筒の送信者の下に返却されるか又は該送信者の指定した返却先住所に返却されるために前記返信先情報が予め記載されたものであることを特徴とする請求項１ないし３のいずれか１項記載の往復封筒。
【請求項５】
前記封筒の正面側に内容物を表示させるための窓が形成され、レンタル方式で使用されるレンタル商品情報が書かれたピッキングリストが内容物の一つとして封入され、このピッキングリストに往信先情報を記載して上記窓から表示させるものであり、返信のときはこの窓の往信先情報を返信フラップが覆う状態で封緘がなされることを特徴とする請求項１ないし４のいずれか１項記載の往復封筒。
【発明の詳細な説明】
【技術分野】
【０００１】
本発明は、往信するときには送り先の住所・氏名（名称）等の往信先情報を記載して送り、これを受け取った受取人がこの封筒を返信用に使用することができる往復封筒に関する。
【背景技術】
【０００２】
音楽・映像等の記憶媒体としてのＣＤ、ＶＣＤ、ＤＶＤ、Blu-ray Disc等の光ディスクは、そのサイズが直径１２０ｍｍ（又は８０ｍｍ）、厚さ１．２ｍｍとコンパクトで記憶容量が大きいことから、急速に普及して、従来の録音・録画テープを凌駕しつつあり、例えば音楽・映像等の記憶媒体を貸し出すいわゆるレンタルビデオ業界においては、ビデオテープからレンタルＤＶＤへの移行が急速に進んでいる。ビデオテープが主流であったときは、顧客がレンタルビデオ店に出向いてＤＶＤ等を借りて持ち帰り、再度、顧客がレンタルビデオ店に出向いてＤＶＤ等を返却する店舗型レンタルビデオが大半であったが、近年、生活サイクルの多様化やインターネットの普及等によって、ＤＶＤ等の特徴である薄くて軽い特性を活かしたオンラインレンタル方式が脚光を浴びている。
【０００３】
ここでオンラインレンタル方式とは、顧客が電気通信回線を通じて借りたいＤＶＤ等を業者（レンタル会社）に予約すると、予約したＤＶＤ等が配送センタから宅配（又は郵便等）によって顧客の手元に届き、ＤＶＤ等を鑑賞した後、配送センタに借りたＤＶＤ等を郵便（又は宅配等）によって返却するという方式である。より具体的には、顧客がパソコンや携帯電話から業者にアクセスして借りたいＤＶＤ等を予約すると、業者が登録された顧客の住所・氏名（名称）及びレンタル商品情報が書かれたピッキングリストを打ち出して、ピッキングリストによって棚からＤＶＤがピッキングされ、業者が専用の往復封筒にＤＶＤとピッキングリストを入れて往信先を顧客の住所・氏名（名称）とした状態で封緘がなされ、配送センタから宅配便等の宅配手段で顧客の手元に届き、顧客が届いた往復封筒を開封して鑑賞した後、再度、同じ往復封筒にＤＶＤとピッキングリストを入れて返信先を配送センタとした状態で封緘がなされ、郵便等の配送手段で配送センタに返却されるという仕組みである。
【０００４】
上記オンラインレンタル方式を行う往復封筒としては、往信先又は返信先が視認できる窓が形成された封筒本体と、封筒本体正面の上辺に配され往信のときに封緘するための往信フラップと、封筒本体背面の上辺に配され返信のときに封緘するための返信フラップを備えた往復封筒がある。また上記オンラインレンタル方式を行う方法としては、上記往復封筒と、ピッキングリストの所定位置に顧客の住所・氏名（名称）が書かれてピッキングリストの別の位置に返却先の住所・氏名（名称）が書かれたピッキングリストを用意して、貸し出しのときはピッキングリストに書かれた顧客の住所・氏名（名称）が封筒本体の窓から視認できる状態として封緘がなされ、返却のときはピッキングリストに書かれた返却先の住所・氏名（名称）が封筒本体の窓から視認できる状態として封緘がなされて返却される方法が実施されている。ここでフラップとは、封筒上部にある折り返し部分であり、フラップを封筒本体に貼り合わせて封緘する。
【０００５】
従来の往復封筒としては、特許文献１、２の往復封筒が文献公知となっている。特許文献１記載の往復封筒は、「封筒表面の窓部に分離可能に配置した往信宛先表示部と封筒内に挿入されて前記窓部に対応する返信宛先表示部とからなり、往信宛先表示部の分離により窓部から返信宛先表示部が目視可能となる構成とした宛先表示手段と、封筒表面に設けた返信表示部を剥離可能に覆った往信表示部、または封筒表面に設けた往信表示部を隠蔽可能な返信表示部からなる郵送の料金表示手段と、封筒の封緘片に設けられ、該封緘片の折り罫側に位置して剥離紙にて剥離可能に覆われている返信時接着部と、封緘片の自由端側に位置して封緘片の折り倒し時に対応する面に接着可能な往信時接着部と、前記返信時接着部と往信時接着部との間に位置する切り取り部とからなる封入封緘手段とを備える往復封筒（請求項１）。」というものであり、返信のときは往信住所表示部（貼着ラベル）を剥がすか、返信住所表示部が往信住所表示部を覆うというものである。特許文献２記載の往復封筒は、「郵便用封筒であって、その表紙の上部に往信用送付先記入欄を設け、その欄の下方の前記表紙にその幅方向全長に亘るキリトリ線を設け、裏紙には前記キリトリ線に対応してその幅方向全長に亘り貼付用舌片を形成し得るキリトリ線が設けられており、そのキリトリ線下方の裏紙表面には返信用差出人記入欄及び送付先記入欄が設けられている往復郵便封筒（請求項１）」というものであり、１つの封筒の表側上部に往信住所が表示されて裏側下部に返信住所が表示された封筒であって、返信のときは往信住所の表示部分を切り取って返信するというものである。
【特許文献１】特許第３７８３１９２号公報
【特許文献２】実用新案登録第３０５８７７０号公報
【発明の開示】
【発明が解決しようとする課題】
【０００６】
しかしながら、特許文献１や２記載等の従来の往復封筒では、封筒の往信先情報と返信先情報からは、これを配達する人が往信か返信かの区別がつかなくなるという問題点を有する。すなわち、特許文献１や２では、返信のときに往信住所表示部を剥がさなかったり、返信住所表示部を往信住所表示部で隠さなかったりすると、配送先が正しく表示されず、正しい返信先に返却されなくなる。また、特許文献２記載の往復封筒では、送信のときに封筒の表側と裏側の両方に宛先が表示されているため、この往復封筒を配達する人が往信か返信かの区別がつかなくなるおそれがある。
また、封筒の表面と背面に往信先情報や返信先情報が残って使用されるときや、封筒の表面は往信先情報を記載して使用し、封筒の背面は返信先情報を記載して使用されるような場合には、本来の通常の封筒としての使用と異なってしまい（通常は封筒正面を使用し、背面を使用することは稀である。）、これを配達する人が混同を生じてしまいう。なお、往信時での封筒の大きさと返信時での封筒の大きさが変ってしまう場合も、「定形」という大きさが維持されなくなるほか、借りた物を返却するとき等に同じ物を同じ収納状態が維持されなくなる。
また、上記オンラインレンタル方式で生じている問題として、顧客がピッキングリストに書かれた返却先住所を封筒本体の窓から視認できる状態として封緘しなかったり、返却先ではなく顧客住所を封筒本体の窓から視認できる状態のままで封緘したりする等により、配送先が正しく表示されず、配送センタに返却されないという問題が生じている。
【０００７】
そこで、本発明の目的は、往信時も返信時も同じ面（封筒の正面）のみを使用しながらも、往信のときには往信先情報だけを封筒に表示し、返信のときには返信先情報だけを封筒に表示して使用することができる往復封筒を提供することにある。
【課題を解決するための手段】
【０００８】
本発明の往復封筒は、往信するときには送り先の住所・氏名（名称）等の往信先情報を記載して送り、これを受け取った受取人がこの封筒を返信用に使用することができる往復封筒であって、シート材が袋状に一体形成されその上端に内容物を入れるための開口部を有する封筒本体と、封筒本体正面の上辺に配され往信のときに封緘するための往信フラップと、封筒本体背面の上辺に配され返信のときに封緘するための返信フラップから構成され、封筒本体の正面側には往信先情報を表示する往信表示エリアを設け、かつ返信フラップの封筒背面側には返信先の住所・氏名（名称）等を表示する返信表示エリアを設け、往信のときは往信先情報が視認可能な状態のまま封筒本体の上辺を折り目として往信フラップが返信フラップを覆う状態で封緘がなされ、かつ返信のときは返信先情報が視認可能な状態のまま封筒本体の上辺を折り目として返信フラップが往信先情報を覆う状態で封緘がなされることを特徴とする。
【０００９】
本発明によれば、往信のときは往信先情報が視認可能な状態のまま封筒本体の上辺を折り目として往信フラップが返信フラップを覆う状態で封緘がなされるが、これは往信フラップが裏返すように使用される通常の使用態様である。そして、返信のときは返信先情報が視認可能な状態のまま封筒本体の上辺を折り目として返信フラップが往信先情報を覆う状態で封緘がなされるため、往信先情報だけが封筒の正面側に表れる。したがって、返信のときに封緘すれば正しい返信先に返信される構成となっている。
【００１０】
本発明としては、前記往信フラップを切り取るためのミシン目が形成され、返信のときは往信フラップを切り取り、返信フラップが往信先情報を覆う状態で封緘がなされることが好ましい。
【００１１】
本発明によれば、返信のときは往信フラップを切り取るために、返信フラップのみを裏返すように折るだけで容易に封緘がなされる。また、返信フラップよりも大きく形成されている場合は、往信のときも返信のときも、往信フラップが外部に認識されることなく、つまり外部からはフラップは、返信フラップの１枚のみとして通常の封筒のように認識される。
【００１２】
本発明としては、前記往復封筒の送信者の下に返却されるか又は該送信者の指定した返却先住所に返却されるために前記返信先情報が予め記載されたものであることが好ましい。また本発明は、前記封筒の正面側に内容物を表示させるための窓が形成され、オンラインレンタル方式で使用されるレンタル商品情報が書かれたピッキングリストが内容物の一つとして封入され、このピッキングリストに往信先情報を記載して上記窓から表示させるものであり、返信のときはこの窓の往信先情報を返信フラップが覆う状態で封緘がなされることが好ましい。
【００１３】
これら本発明によれば、例えばＤＶＤ等のオンラインレンタルを行うときに、ピッキングリストに表示された返却先の住所（以下、レンタル配信拠点住所とも呼ぶ）等が記載されているので、借り主である受取人は、借りたＤＶＤ等を返却するときは、届いた封筒をそのまま使用してこの封筒を折り畳むだけで、レンタル配信拠点住所に返信することができる。
【発明の効果】
【００１４】
本発明によれば、往信のときは往信先情報が視認可能な状態のまま封筒本体の上辺を折り目として往信フラップが返信フラップを覆う状態で封緘がなされ、返信のときは返信先情報が視認可能な状態のまま封筒本体の上辺を折り目として返信フラップが往信先情報を覆う状態で封緘がなされるため、返信のときに封緘しさえすれば正しい返信先に返信され、そのうえ、往信も返信も同じ封筒正面を使用することができる。したがって、配送者や受取人等がこの往復封筒は往信のためのものか返信のものか等の混同を生じさせることを防止できる。
【００１５】
また、例えばＤＶＤ等のオンラインレンタル等に使用するときは、予め往信先情報と返信先情報を印刷しておくことで、差出人（レンタル配信拠点）も受取人（借主）も、フラップを折畳むだけで良くなり、宛先を往復封筒に転記しなくて済み、転記ミスが防止でき、特に返却先住所に正しく返却されないという事態を防止することが可能になる。
【発明を実施するための最良の形態】
【００１６】
以下、本発明を実施するための最良の形態を図面を引用しながら説明する。
【００１７】
（第１の実施形態）
図１は、本発明を適用した一実施形態の往復封筒１を示す図である。図１（ａ）は本発明の往復封筒１の正面図であり、図１（ｂ）はその背面図である。本実施の形態は、ＤＶＤ等のオンラインレンタルにて使用される往復封筒１である。本実施の形態の往復封筒１は、四角形状の袋体であり、透明樹脂フイルムに着色が施されさらに所定の情報記事が印字されたシート材２を封筒本体２１となる外周の３辺（底辺と左側辺と右側辺）を溶着又は接着することで袋状に一体形成し、その上端に内容物８，９を入れるための開口部ＩＮを有する。上記透明樹脂フイルム素材としては、ポリプロピレン、ポリエチレン、ナイロン等が挙げられる。上記所定の情報記事としては、往復封筒１の取扱注意事項、企業情報、取扱い手順、その他記載事項等が挙げられる。
【００１８】
封筒本体２１の正面側２１ａの上方には、貸出先住所を表示する往信表示エリア４を非着色とすることで透明な窓４が形成される。往信表示エリア４の横には、宅配業者の宅配ラベル（又は郵便切手等）を貼り付けるスペース７１がある（図１（ａ））。封筒本体２１の正面側２１ａの表示エリア（窓）４の上方には折り目６があり、折り目６を介して往信フラップ２２が封筒本体２１の正面側２１ａの上辺に配される。往信フラップ２２の封筒本体２１の正面側２１ａと連続する面２２ａの左上隅には、三角マーク２２３が印刷されている（図１（ａ））。三角マーク２２３は、往信のときに宅配された往復封筒１を開封する際の目印となっている。往信フラップ２２の封筒本体２１の背面側２１ｂと同じ側の面２２ｂの上方には、糊付けが施され、仮保護フイルム２２２が剥離容易に糊付けを覆っている（図１（ｂ））。
【００１９】
封筒本体２１の背面側２１ｂの上辺には折り目６があり、折り目６を介して返信フラップ２３が封筒本体２１の背面側２１ｂの上辺に配される（図１（ｂ））。返信フラップ２３の封筒本体２１の背面側２１ｂと連続する面２３ｂには返信表示エリア５があり、返信先情報５が印刷されている。返信先情報５と、後述する往信先情報４とは、住所、氏名（名称）、郵便番号、バーコード等の識別手段のほか、切手や押印等を含むものとして、ここでは使用する。
【００２０】
返信先情報５の文字配置は、封筒本体２１の背面側２１ｂから見た場合に逆さに配置される（図１（ｂ））。これは後述するが、返信フラップ２３を封筒本体２１の正面側２１ａに折り返したときに、返信先情報５が正しい向きで見えるようにするためである。返信先情報（表示エリア）５の横には、返信用の郵便切手がスペース７２に貼り付けてある（図１（ｂ））。返信フラップ２３の封筒本体２１の正面側２１ａと同じ側の面２３ａの上方には、糊付けが施され、仮保護フイルム２３２が剥離容易に糊付けを覆っている（図４を参照）。このように、返信表示エリア５の上記面２３ｂには、接着剤等は施されないことから、返信先情報の印刷等が剥がれ落ちるようなことはない。
【００２１】
往信フラップ２２の長さ（折り目６からの長さ）は返信フラップ２３の長さよりも大きく、封筒本体２１の背面側２１ｂから見た状態では、仮保護フイルム２２２が返信フラップ２３から上方に露出している（図１（ｂ））。封筒本体２１の上辺の折り目６の全周には、ミシン目６ａ，６ｂが形成されている（図１（ａ）（ｂ））。すなわち、往信フラップ２２を切り取るためミシン目６ａと、返信フラップ２３を切り取るためミシン目が各々形成され、これらが同じ位置（対向して）で形成されていることで、封筒本体２１の上辺の折り目６の全周に形成されている。これらは、顧客が往復封筒１を開封した後、往信フラップ２２を封筒本体２１から切り離すためのミシン目であり、その後配送センタにて往復封筒１を開封した後、返信フラップ２３を封筒本体２１から切り離すためのミシン目である。折り目６に沿ってミシン目が形成され（ミシン目６ａ，６ｂと折り目が兼用されている。）、ミシン目６ａ，６ｂから切り取る前に、折り目として使用されるので、ミシン目６ａ，６ｂからの切り取りが容易になる利点も有する。
【００２２】
そして、往信のときの往信フラップ２２の折り目６を上記ミシン目６ａとして、返信するときの返信フラップ２３の折り目を上記ミシン目６ｂとして、これらの位置を同じ位置か近接する位置にすることで、往信のときの内容物と同一の内容物８を返信のときに収納することができる。そして、折り目６として使用したミシン目６ａ，６ｂから上記フラップ２２，２３を切り取ることで、容易に上記フラップ２２，２３を切り取ることができる。
【００２３】
図２と図３は往復封筒１に入れる内容物の一実施例であり、図２はピッキングリスト８の一例であり、図３はＤＶＤ９である。ピッキングリスト８は、Ａ５サイズの紙であり、中央の折れ線８４にて二つ折りするとちょうど封筒本体２１に入るサイズである。ピッキングリスト８の左上方の所定位置には、貸出先住所８１が印字されている。貸出先住所８１の下方には、レンタルＤＶＤの情報（識別記号、タイトル等）が印字されている。中央の折れ線８４の下側には、所定の連絡情報８３が印刷されている。所定の連絡情報８３は、往復封筒１の使用説明、取扱注意事項、企業情報、その他連絡事項等である。
【００２４】
図４は、往信するため往復封筒１に内容物８，９を入れる状態を示す斜視図である。Ａ５サイズのピッキングリスト８を貸出先住所８１が外向きにして二つ折りして、ＤＶＤ９を挟んで保護した状態で、往復封筒１の開口部ＩＮから内容物８，９を入れる。このとき、ピッキングリスト８の貸出先住所８１と封筒本体２１の正面側２１ａの窓４の向きを合わせる。そして、封筒本体２１の上辺の折り目６にて往信フラップ２２を封筒本体２１の背面側２１ｂに重なるように折り、仮保護フイルム２２２を剥離して糊付けを露出させ、往信フラップ２２が返信フラップ２３を覆って封緘を行う。
【００２５】
図５は、往信のときの往復封筒１を示す図である。図５（ａ）は往復封筒１の正面図であり、図５（ｂ）はその背面図である。封筒本体２１を正面側２１ａから見ると、左上に配置された窓４から貸出先住所８１が見える（図５（ａ））。封筒本体２１を背面側２１ｂから見ると、往信フラップ２２が返信フラップ２３を覆って封緘がなされている（図５（ｂ））。図５の状態で往復封筒１は、レンタル会社やその配送センタから宅配便等の宅配手段で顧客の手元に届く。
【００２６】
顧客（受取人、借り主）は、図５の状態で顧客の手元に届いた往復封筒１の三角マーク２２３を目印として往信フラップ２２を指で摘んで引っ張ることで、往信フラップ２２を封筒本体２１の背面側２１ｂから剥離させ、折り目６のミシン目から往信フラップ２２を切り取る（図６を参照）。往信フラップ２２の剥離にともない、糊付けの一部（又は全部）が封筒本体２１の背面側２１ｂに残るように糊付けがなされているため、開封されたことがわかるとともに、封筒本体２１の背面側２１ｂが破れることがない。そして、内容物であるピッキングリスト８とＤＶＤ９を往復封筒１から取り出し、レンタルＤＶＤ９を鑑賞する。
【００２７】
図６は、返信するため往復封筒１に内容物８，９を入れる状態を示す斜視図である。レンタルＤＶＤ９等の鑑賞が終わり、借り主が返却するときは、ピッキングリスト８を二つ折りして、ＤＶＤ９を挟んで保護した状態で、往復封筒１の開口部ＩＮから内容物８，９を入れる。そして、封筒本体２１の上辺の折り目６にて返信フラップ２３を封筒本体２１の正面側２１ａに重なるように折り、仮保護フイルム２３２を剥離して糊付けを露出させ、返信フラップ２３が窓４及び宅配業者の宅配ラベル（又は郵便切手等）が貼り付けられたスペース７１を覆って封緘を行う。なお返信のときは、ピッキングリスト８は往復封筒１に入れない場合もある。
【００２８】
図７は、返信のときの往復封筒１を示す図である。図７（ａ）は往復封筒１の正面図であり、図７（ｂ）はその背面図である。封筒本体２１を正面側２１ａから見ると、左上に返信フラップ２３の面２３ｂに印刷された返信先情報５が見える（図７（ａ））。返信先情報（表示エリア）５の横には、返信用の郵便切手がスペース７２に貼り付けてある。図７の状態で往復封筒１は、顧客から郵便ポストに投函され、郵便で配送センタ（返却先住所）に返却される。本実施形態では、往信のときの封緘がなされた状態（図５）と返信のときの封緘がなされた状態（図７）の外周が同一寸法に構成されている。すなわち、折り目６兼用のミシン目６ａ，６ｂが同じ位置か近接する位置に形成されている。したがって、往信のときの内容物８，９と同一の内容物８，９を返信のときに収納することができるようにするためである。なお、本実施の形態では、返信するときの封筒背面は何も記載されてないので、配達人が混同を生じることはないが、差出人（借り主）の住所・氏名を記載するようにしたり、それをシールで行うようにすることは、実施に応じ任意である。
【００２９】
（第２の実施形態）
図８は、本発明を適用した一実施形態の往復封筒１１を示す図である。図８（ａ）は本発明の往復封筒１の正面図であり、図８（ｂ）はその背面図である。本実施の形態は、手紙１９のやりとりにて使用される往復封筒１１である。本実施の形態の往復封筒１１は、紙製のシート材２を封筒本体２１となる外周の３辺（底辺と左側辺と右側辺）を糊付けすることで袋状に一体形成し、その上端に内容物１９を入れるための開口部ＩＮを有するものであり、定形の縦型封筒として使用される。なお、本発明は、封筒の大きさや種類の如何を問わず適用可能である。
【００３０】
封筒本体２１の正面側２１ａの上方には、往信表示エリア４に往信先情報４が表示される。往信先情報４は、予め封筒本体２１に印刷してあってもよいし、都度手書きするか、又は往信先情報が印字されたラベルを往信表示エリア４に貼り付けてもよい。往信表示エリア４の横には、郵便切手（又は宅配業者の宅配ラベル）を貼り付けるスペース７１がある（図８（ａ））。封筒本体２１の正面側２１ａの往信先情報（表示エリア）４の上方には折り目６ａがあり、折り目６ａを介して往信フラップ２２が封筒本体２１の正面側２１ａの上辺に配される。往信フラップ２２の封筒本体２１の正面側２１ａと連続する面２２ａの上方には、所定間隔２２６をあけて折り目６ａと平行に２つのミシン目２２４，２２５が形成されている（図８（ａ））。後述するが、所定間隔２２６は往信された封筒１１を開封するときの切取部２２６となる。往信フラップ２２の封筒本体２１の背面側２１ｂと同じ側の面２２ｂの上方には２つのミシン目２２４，２２５が形成され、ミシン目２２４の上方には糊付けが施され、仮保護フイルム２２２が剥離容易に糊付けを覆っている（図８（ｂ））。
【００３１】
封筒本体２１の背面側２１ｂの上辺には折り目６ｂがあり、折り目６ｂを介して返信フラップ２３が封筒本体２１の背面側２１ｂの上辺に配される（図８（ｂ））。返信フラップ２３の封筒本体２１の背面側２１ｂと連続する面２３ｂには返信表示エリア５があり、返信先情報５が表示されている。返信先情報４は、予め返信フラップ２３に印刷してあってもよいし、都度手書きするか、又は返信先情報が印字されたラベルを返信表示エリア５に貼り付けてもよい。返信先情報の文字配置は、封筒本体２１の背面側２１ｂから見た場合に逆さに配置される（図８（ｂ））。これは後述するが、返信フラップ２３を封筒本体２１の正面側２１ａに折り返したときに、返信先情報５が正しい向きで見えるようにするためである。返信先情報（表示エリア）５の横には、返信用の郵便切手がスペース７２に貼り付けてある（図８（ｂ））。返信フラップ２３の封筒本体２１の正面側２１ａと同じ側の面２３ａの上方には、糊付けが施され、仮保護フイルム２３２が剥離容易に糊付けを覆っている（図１１を参照）。なお、返信表示エリア５である上記面２３ｂには接着剤等は施されないものである。
【００３２】
往信フラップ２２の長さ（折り目６からの長さ）は返信フラップ２３の長さよりも大きく、封筒本体２１の背面側２１ｂから見た状態では、仮保護フイルム２２２が返信フラップ２３から上方に露出している（図８（ｂ））。
【００３３】
図９は、往信するため往復封筒１に内容物１９を入れる状態を示す斜視図である。本実施形態では、内容物１９は手紙１９であり、例えばアンケート、同窓会の出席の可否、ダイレクトメール等の書簡が挙げられる。なお、本実施の形態でも、内容物１９は、窓（透明窓）としての往信表示エリア４により外部から認識させるものでも良い。
【００３４】
往復封筒１１の開口部ＩＮから適当な大きさに折り畳んだ手紙１９を入れる。そして、封筒本体２１の上辺の折り目６ａにて往信フラップ２２を封筒本体２１の背面側２１ｂに重なるように折り、仮保護フイルム２２２を剥離して糊付けを露出させ、往信フラップ２２が返信フラップ２３を覆って封緘を行う。
【００３５】
図１０は、往信のときの往復封筒１１を示す図である。図１０（ａ）は往復封筒１１の正面図であり、図１０（ｂ）はその背面図である。封筒本体２１を正面側２１ａから見ると、右上に往信先情報４が見える（図１０（ａ））。封筒本体２１を背面側２１ｂから見ると、往信フラップ２２が返信フラップ２３を覆って封緘がなされている（図１０（ｂ））。返信フラップ２３はミシン目２２５よりも上方に配されており、往信フラップ２２にて覆われている。図１０の状態で往復封筒１１は、郵便（又は宅配便）で往信先の手元に届く。
【００３６】
往信された往復封筒１１を受取った受取人は、図１０の状態で手元に届いた封筒本体２１の背面側２１ｂに配された２つのミシン目２２４，２２５の間の切取部２２６を指で摘んで引っ張ることで、封筒本体２１から切り離し、次に、はさみ等の切断手段にて折り目６から往信フラップ２２を切り取る（図１１を参照）。切取部２２６の切り取りは、該切取部２２６につまみ部（図示せず）を設けて、これを行い易くしても良い。往信フラップ２２の切り取りは、ミシン目６ａを使用して、はさみ等の切断手段を使用しないようにしても良い。
そして、内容物である手紙１９を往復封筒１１から取り出し、手紙１９の内容を読んで、例えばアンケートを記入するなど、適宜、手紙に記入する。
【００３７】
図１１は、返信するため往復封筒１１に内容物（手紙）１９を入れる状態を示す斜視図である。往復封筒１１の開口部ＩＮから適当な大きさに折り畳んだ手紙１９を入れる。そして、封筒本体２１の上辺の折り目６ｂにて返信フラップ２３を封筒本体２１の正面側２１ａに重なるように折り、仮保護フイルム２３２を剥離して糊付けを露出させ、返信フラップ２３が返信先情報４及び郵便切手（又は宅配業者の宅配ラベル）が貼り付けられたスペース７１を覆って封緘を行う。なお、返信のときは、手紙１９を往復封筒１１に入れない場合もある。
【００３８】
図１２は、返信のときの往復封筒１１を示す図である。図１２（ａ）は往復封筒１１の正面図であり、図１２（ｂ）はその背面図である。封筒本体２１を正面側２１ａから見ると、左上に返信フラップ２３の面２３ｂに表示された返信先情報５が見える（図１２（ａ））。返信先情報（表示エリア）５の横には、返信用の郵便切手がスペース７２に貼り付けてある。図１２の状態で往復封筒１１は、顧客から郵便ポストに投函され、郵便で配送センタ（返却先住所）に返却される。本実施形態では、往信のときの封緘がなされた状態（図１０）と返信のときの封緘がなされた状態（図１２）の外周が同一寸法に構成され、往信するときも返信するときも一般の通常の封筒を同じである
【００３９】
上述した本発明の実施の形態では、返信は郵便であるとしたが、宅配業者のメール便で返信してもよい。また、往復する内容物は、手紙や光ディスクに限定されるものではなく、ＵＳＢメモリ、ゲームカートリッジ、写真等でもよい。このように、本発明は、その趣旨を逸脱しない範囲で適宜変更が可能であることは言うまでもない。
【図面の簡単な説明】
【００４０】
【図１】本発明を適用した第１の実施形態の往復封筒を示す図である。
【図２】上記第１の実施形態の往復封筒に入れるピッキングリストの一例である。
【図３】上記第１の実施形態の往復封筒に入れるＤＶＤである。
【図４】上記第１の実施形態の往復封筒を往信するため、内容物を入れる状態を示す斜視図である。
【図５】上記第１の実施形態の往信のときの往復封筒を示す図である。
【図６】上記第１の実施形態の往復封筒を返信するため、内容物を入れる状態を示す斜視図である。
【図７】上記第１の実施形態の返信のときの往復封筒を示す図である。
【図８】本発明を適用した第２の実施形態の往復封筒を示す図である。
【図９】上記第２の実施形態の往復封筒を往信するときの内容物を入れる状態を示す斜視図である。
【図１０】上記第２の実施形態の往信のときの往復封筒を示す図である。
【図１１】上記第２の実施形態の往復封筒を返信するときの内容物を入れる状態を示す斜視図である。
【図１２】上記第２の実施形態の返信のときの往復封筒を示す図である。
【符号の説明】
【００４１】
１，１１        往復封筒、
２              シート材、
２１            封筒本体、
２２            往信フラップ、
２３            返信フラップ、
４              往信表示エリア（往信先情報、貸出先住所、窓）、
５              返信表示エリア（返信先情報）、
６              折り目（ミシン目）、
８，９，１９    内容物、
ＩＮ            開口部
【図１】
2010132313.tif 000003
【図２】
2010132313.tif 000004
【図３】
2010132313.tif 000005
【図４】
2010132313.tif 000006
【図５】
2010132313.tif 000007
【図６】
2010132313.tif 000008
【図７】
2010132313.tif 000009
【図８】
2010132313.tif 000010
【図９】
2010132313.tif 000011
【図１０】
2010132313.tif 000012
【図１１】
2010132313.tif 000013
【図１２】
2010132313.tif 000014